(57)【要約】本発明は、バッテリ式ＤＶＢ−Ｈ用携帯受信機に関する。ＤＶＢ−Ｈサービスデータは、伝送チャネル上でバーストとして数秒のオフタイムを挟んで伝送される。オフタイムは、バックグラウンド受信に用いられる。バックグラウンド受信中に、他のサービスからの情報が取得されて受信機のメモリに記憶される。ユーザが他のサービスに切り換えると、このサービスに関して格納された情報は、新しいサービスの最初のバーストが受信されるまでの時間を埋めるために直ちに表示される。取得情報は、テキスト又は静止画を含んでもよい。このバックグラウンド受信方式は、他のサービスをスキャンし、好ましくは取得情報を更新するために受信機内で単一の同調器／復調器を用いるだけでよい。バックグラウンド受信中に切り換えられる個々のサービス、及び生じ得る取得情報の更新は、現在のバッテリ状態、受信機の装備、及び／又はユーザの好みに基づいて実行される。【特許請求の範囲】
【請求項１】
複数のサービスそれぞれに対応する複数のデータに関する情報をそれぞれ含む複数の入力信号に対して、選択された１つのサービスに対応する信号を受信する受信方法であって、
前記複数の入力信号は、第１の周波数チャネル上を時間軸上でそれぞれバースト的に伝送されており、
選択されたサービスに対応する入力信号を受信し、
受信した入力信号を復調した後出力し、
前記選択されたサービスに対応する入力信号を受信しない期間に、選択された以外のサービスに対応する入力信号を受信し、
受信した前記選択された以外のサービスに対応する入力信号を復調し、
前記選択された以外のサービスに対応する入力信号を復調した結果に基づき、前記選択された以外のサービスに関するザッピングデータを抽出し、
前記ザッピングデータを格納する受信方法。
【請求項２】
サービスの選択が変更された場合には、
変更されたサービスに対応する前記格納されたザッピングデータを出力する請求項１記載の受信方法。
【請求項３】
前記変更されたサービスに対応する前記格納されたザッピングデータを出力中に、前記変更されたサービスに対応する入力信号を受信した場合、
受信した前記変更されたサービスに対応する入力信号を復調した後出力する請求項２記載の受信方法。
【請求項４】
前記選択された以外のサービスに対応する入力信号を受信する処理は、前記選択されたサービスに対応する入力信号を受信しない期間でかつ、所定の周期で行われ、
格納された前記ザッピングデータを更新する請求項１〜３のいずれか一項に記載の受信方法。
【請求項５】
前記複数の入力信号は、前記第１の周波数チャネルと異なる第２の周波数チャネル上を時間軸上でそれぞれバースト的に伝送される複数の信号をさらに含み、
前記選択されたサービスに対応する入力信号を受信しない期間に、前記第２の周波数チャネルに切り替え、
前記第２の周波数チャネル上の入力信号を受信し、
受信した前記第２の周波数チャネル上の入力信号を復調し、
前記第２の周波数チャネル上の入力信号を復調した結果に基づき、前記第２の周波数チャネル上の入力信号に関するザッピングデータを抽出し、
前記ザッピングデータを格納する請求項１〜４のいずれか一項に記載の受信方法。
【請求項６】
前記サービスに対応する前記データはビデオデータを含み、
前記ザッピングデータは、前記ビデオデータに含まれる静止画像データである請求項１〜５のいずれか一項に記載の受信方法。
【請求項７】
前記サービスに対応する前記データはビデオデータを含み、
前記ザッピングデータは、前記ビデオデータに関する補助情報である請求項１〜５のいずれか一項に記載の受信方法。
【請求項８】
前記補助情報は、前記ビデオデータのタイトル情報又はサービスプログラム情報を含む請求項７記載の受信方法。
【請求項９】
前記ザッピングデータは、テキストデータを含む請求項１〜８のいずれか一項に記載の受信方法。
【請求項１０】
複数のサービスそれぞれに対応する複数のデータに関する情報をそれぞれ含む複数の入力信号に対して、選択された１つのサービスに対応する信号を受信する受信装置であって、
前記複数の入力信号は、の第１の周波数チャネル上を時間軸上でそれぞれバースト的に伝送されており、
選択されたサービスに対応する入力信号を受信する受信部と、
受信した入力信号を復調した後出力する復調部とを備え、
前記受信部は、前記選択されたサービスに対応する入力信号を受信しない期間に、選択された以外のサービスに対応する入力信号を受信し、
前記復調部は、受信した前記選択された以外のサービスに対応する入力信号を復調し、
前記選択された以外のサービスに対応する入力信号を復調した結果に基づき、前記選択された以外のサービスに関するザッピングデータを抽出する抽出部と、
前記ザッピングデータを格納する記憶部とを備える受信装置。
【請求項１１】
サービスの選択が変更された場合には、
変更されたサービスに対応する前記格納されたザッピングデータを出力する請求項１０記載の受信装置。
【請求項１２】
前記変更されたサービスに対応する前記格納されたザッピングデータを出力中に、前記変更されたサービスに対応する入力信号を受信した場合、
前記復調部は、受信した前記変更されたサービスに対応する入力信号を復調した後出力する請求項１１記載の受信装置。
【請求項１３】
前記受信部が行う前記選択された以外のサービスに対応する入力信号を受信する処理は、前記選択されたサービスに対応する入力信号を受信しない期間でかつ、所定の周期で行われ、
前記記憶部は、格納された前記ザッピングデータを更新する請求項１１〜１２のいずれか一項に記載の受信装置。
【請求項１４】
前記複数の入力信号は、前記第１の周波数チャネルと異なる第２の周波数チャネル上を時間軸上でそれぞれバースト的に伝送される複数の信号をさらに含み、
前記選択されたサービスに対応する入力信号を受信しない期間に、前記受信部の受信周波数を前記第２の周波数チャネルに切り替える切替部をさらに備え、
前記受信部は、前記第２の周波数チャネル上の入力信号を受信し、
前記復調部は、受信した前記第２の周波数チャネル上の入力信号を復調し、
前記抽出部は、前記第２の周波数チャネル上の入力信号を復調した結果に基づき、前記第２の周波数チャネル上の入力信号に関するザッピングデータを抽出し、
前記格納部は、前記ザッピングデータを格納する請求項１０〜１３のいずれか一項に記載の受信装置。
【請求項１５】
前記サービスに対応する前記データはビデオデータを含み、
前記ザッピングデータは、前記ビデオデータに含まれる静止画像データである請求項１０〜１４のいずれか一項に記載の受信装置。
【請求項１６】
前記サービスに対応する前記データはビデオデータを含み、
前記ザッピングデータは、前記ビデオデータに関する補助情報である請求項１０〜１４のいずれか一項に記載の受信装置。
【請求項１７】
前記補助情報は、前記ビデオデータのタイトル情報又はサービスプログラム情報を含む請求項１６記載の受信装置。
【請求項１８】
前記ザッピングデータは、テキストデータを含む請求項１０〜１７のいずれか一項に記載の受信装置。
【発明の詳細な説明】
【技術分野】
【０００１】  本発明は、伝送チャネルを通してデータを伝送する送信方法及び受信方法に関する。特に、本発明は、所定の伝送方式によって、ひとつの伝送チャネルを用いて、複数のデータを伝送する送受信方法に関する。
【背景技術】
【０００２】  デジタル放送方式の伝送規格は、地上、衛星、ケーブルなどの伝送路毎に規格化されてきた。規格化された地上デジタル放送方式ＤＶＢ−Ｔ（Ｄｉｇｉｔａｌ  Ｖｉｄｅｏ  Ｂｒｏａｄｃａｓｔｉｎｇ−Ｔｅｒｒｅｓｔｒｉａｌ）は、主として、家庭、オフィス等での固定受信をターゲットにしていた。しかし、携帯端末等で、地上デジタル放送を受信しようとした場合、限られたバッテリ容量のため、長時間視聴することができない。【０００３】  そのため、現在新しく、ＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）という伝送規格が策定されている。これは、携帯電話などの携帯端末での使用を想定している。【０００４】ＤＶＢ−Ｈ規格は、既存の地上デジタル放送規格ＤＶＢ−Ｔに基づいている。ＤＶＢ−Ｔは、通常、１サービスあたり３Ｍｂｐｓ以上の帯域幅が必要であるが、携帯端末で使用されるサービスは、受信機の画面が小さいため、比較的小さい伝送容量で十分である。ＭＰＥＧ−４のような高度ビデオ圧縮技術を用いたビデオを流すために必要な最大ビットレートは、数１００ｋｂｐｓ程度である。ＤＶＢ−Ｈ伝送規格は、基本的には、ＤＶＢ−Ｔ規格をベースに、各々のサービス毎に、時分割多重送信（ＴＤＭ）する方式である。このため、瞬時伝送レートは高いが、各サービス毎の、平均伝送レートは小さくなっている。この時分割送信された各サービスのことを、タイムスライス或いはバーストと呼ぶ。【０００５】  各ＤＶＢ−Ｈサービスはバーストの形態で伝送され、各バーストは複数のシンボルの集まりで所定のバースト長がある。特定のサービスはバーストとして所定の間隔の送出周期で送出される。その他の期間は、別のサービスが同様にバーストとして伝送される。そのため、特定のサービスを受信する場合は、そのサービスが伝送されていない区間は、フロントエンドの電源をオフにすることができる。受信側での電力消費を削減するには、バースト間隔をできるだけ長く取ればよい。こうすれば、受信側で、フロントエンドの電源を長い期間オフにすることができる。約５秒のオフタイム及び０．５秒未満のオンタイムとすれば、約９０％の電力の節約を達成することができる。
【発明の開示】
【発明が解決しようとする課題】
【０００６】  しかしながら、バースト間隔が５秒程度になると、サービス間の切り換え時間が長くなるという問題を生じる。同じチャネル又は他のチャネルで伝送される他のサービスに切り換える場合、画像は最初のバーストの受信後にしか再生されない。したがって、ユーザは、新しく選択されるサービス毎に、各サービスの最初のバーストが伝送されるのを待たなければならない。このため、様々なサービス間で速い切り替えを実現することができない。【０００７】  ＤＶＢ−Ｈサービスは、同一チャネルで様々なサービスが伝送されるが、隣接するセルでは、異なるチャネルを用いて、同一のサービスが伝送される。サービスエリア境界では、一般的に、複数の異なる伝送チャネルが受信される。ＤＶＢ−Ｈ移動受信機が現在のセルから隣接するセルに移動しているときには、それに応じて受信周波数が変更される。切り換えは、双方のセルの間の重複しているエリアで行われる。ハンドオーバーは、ＤＶＢ−Ｈサービスのユーザが、意識することなく実行される。【０００８】  これらの伝送方式を考慮して、本発明の目的は、特に、異なるサービスのスムーズな切り換えを行うためのバックグラウンド受信ができる受信器及び受信方法を提供することにある。
【課題を解決するための手段】
【０００９】  本発明によれば、複数のサービスそれぞれに対応する複数のデータに関する情報をそれぞれ含む複数の入力信号に対して、選択された１つのサービスに対応する信号を受信する受信装置あって、前記複数の入力信号は、同一の第１の周波数チャネル上を時間軸上でそれぞれバースト的に伝送されており、選択されたサービスに対応する入力信号を受信する受信部と、受信した入力信号を復調した後出力する復調部とを備え、前記受信部は、前記選択されたサービスに対応する入力信号を受信しない期間に、選択された以外のサービスに対応する入力信号を受信し、前記復調部は、受信した前記選択された以外のサービスに対応する入力信号を復調し、前記選択された以外のサービスに対応する入力信号を復調した結果に基づき、前記選択された以外のサービスに関するザッピングデータを抽出する抽出部と、前記ザッピングデータを格納する記憶部とを備える。【００１０】  さらに、本発明によれば、サービスの選択が変更された場合には、変更されたサービスに対応する前記格納されたザッピングデータを出力する。【００１１】  さらに、本発明によれば、前記変更されたサービスに対応する前記格納されたザッピングデータを出力中に、前記変更されたサービスに対応する入力信号を受信した場合、前記復調部は、受信した前記変更されたサービスに対応する入力信号を復調した後出力する。【００１２】  さらに、本発明によれば、前記受信部が行う前記選択された以外のサービスに対応する入力信号を受信する処理は、前記選択されたサービスに対応する入力信号を受信しない期間でかつ、所定の周期で行われ、前記記憶部は、格納された前記ザッピングデータを更新する。【００１３】  さらに、本発明によれば、前記複数の入力信号は、前記第１の周波数チャネルと異なる第２の周波数チャネル上を時間軸上でそれぞれバースト的に伝送される複数の信号をさらに含み、前記選択されたサービスに対応する入力信号を受信しない期間に、前記受信部の受信周波数を前記第２の周波数チャネルに切り替える切替部をさらに備え、前記受信部は、前記第２の周波数チャネル上の入力信号を受信し、前記復調部は、受信した前記第２の周波数チャネル上の入力信号を復調し、前記抽出部は、前記第２の周波数チャネル上の入力信号を復調した結果に基づき、前記第２の周波数チャネル上の入力信号に関するザッピングデータを抽出し、前記格納部は、前記ザッピングデータを格納する。【００１４】  さらに、本発明によれば、前記サービスに対応する前記データはビデオデータを含み、前記ザッピングデータは、前記ビデオデータに含まれる静止画像データである。【００１５】  さらに、本発明によれば、前記サービスに対応する前記データはビデオデータを含み、前記ザッピングデータは、前記ビデオデータに関する補助情報である。【００１６】  さらに、本発明によれば、前記補助情報は、前記ビデオデータのタイトル情報又はサービスプログラム情報を含む。この補助情報としては、例えばサービスのジャンル、ビデオデータの内容に関するイベント情報又は「電気サービスガイド」のようなサービス情報を示すテキストスタイルの情報を含むこともできる。【００１７】  本発明によれば、ユーザは意識せずに現在視聴中のサービス以外のサービスに関するザッピングデータを取得し格納することができ、このザッピングデータの取得は、バースト的に伝送されてくる、ユーザが現在視聴中のサービスに対応する信号を受信していないオフタイム期間が用いられる。これにより、ユーザが実際に現在視聴中のサービス以外のサービスに切り換える時に、予め取得したザッピングデータを、ユーザに表示し提供することができる。ユーザは、所望のサービスに対する切り換え操作が完了して所望のサービスが表示されるまで、待つ必要がなくなる。つまり、ユーザが他のサービスに切り換えた後、バースト的に伝送されてくる切り替えたサービスの信号を受信する前でも、ザッピングデータを直ちに表示することができる。これにより、ユーザは、次に視聴を望むサービスを直ちに選択することができる。
【図面の簡単な説明】
【００１８】
【図１】多周波数ネットワークの典型的なセル構造を模式的に示す模式図である。
【図２】タイムスロットのバーストとして伝送されるＤＶＢ−Ｈデータを模式的に示す図である。
【図３】携帯端末の移動時に、オフタイムに次のセルでの同一のサービスを探索する場合のタイムチャートである。
【図４】本発明のＤＶＢ−Ｈ用受信機の構成を示すブロック図である。
【図５】ＤＶＢ−Ｈ用受信機で複数のチャネルからのＤＶＢ−Ｈサービスを受けられる場合の概略図である。
【図６】複数の伝送チャネル内で伝送されるＤＶＢ−Ｈサービスデータの例を示す図である。
【図７】本発明のＤＶＢ−Ｈ用受信機における受信手順を示すフローチャートである。
【発明を実施するための最良の形態】
【００１９】  本発明は、現在提案されているＤＶＢ−Ｈ伝送サービスのためのバックグラウンド受信を可能にするＤＶＢ−Ｈサービスの改良された伝送に関する。【００２０】  ＤＶＢ−Ｈサービスは、ＤＶＢ−Ｔサービスを伝送するために使用されるものと同じ伝送チャネル内で伝送される。異なる伝送チャネルは、多周波数ネットワーク（ＭＦＮ）の形態で配置されている。多周波数ネットワークでは、同一のＤＶＢ−Ｈデータが、隣接するセルにおいて異なる周波数で伝送される。そのような多周波数ネットワークの構成は、図１に模式的に示される。【００２１】  図１のセルの構成は、多周波数ネットワークの４つのセルを表している。各セル１１０〜１４０は、異なるチャネル（ＣＨ２７、ＣＨ２９、ＣＨ２３、ＣＨ３７）で、ＤＶＢ−Ｔ及びＤＶＢ−Ｈが多重された同一のトランスポートストリームを伝送する。ひとつのチューナ及び復調器を含むＤＶＢ−Ｈ移動受信機１００は、セル１１０内で伝送される（ＣＨ）２７のＤＶＢ−Ｈ信号を現在受信している。図１に示すように、ＤＶＢ−Ｈ移動受信機１００は、現在使用されているセル１１０から隣接しているセル１３０へと移動しているとする。同じＤＶＢ−Ｈサービスの受信を維持するためには、移動受信機１００は、新しいセルの伝送エリアに入るときに受信周波数を変更、即ち、ハンドオーバをしなければならない。【００２２】  ハンドオーバは、隣接しているそれぞれのセル１１０，１３０の間の重複しているエリアで実行される。受信周波数は、一般的に、現在のセルと新しいセルの受信電界強度に基づいて切り換えられる。現在のセルの電界強度は減少するが、新しいセルの受信周波数で検出される受信電界強度は、ＤＶＢ−Ｈ受信機１００が近づくにつれ増大する。このように、ＤＶＢ−Ｈサービスでは、ユーザが意識することなく、受信周波数の切り換えすなわちハンドオーバを行うことができる。【００２３】  上記ハンドオーバについて、図３を用いて説明する。セル１１０からセル１３０へと移動している受信機１００は、サービスＡのオフタイムの間に隣接するセル１３０、１４０のサービスの一部分のバーストを受信して、同じサービスＡがあるかを探索する。図３では、最初のオフタイム１でセル１４０のサービスを受信し、次のオフタイム２でセル１３０のサービスを受信している。この例ではセル１３０のサービスから同じサービスＡを見つけることができ、セル１３０からの受信へと移行することができる。このハンドオーバは隣接セルの間で重複してサービスを受けることができる範囲で同じサービスＡの移行に限って実行される。【００２４】  ひとつのチューナ及び復調器が１つだけ組み込まれているＤＶＢ−Ｈ移動受信機１００は、さらに、バックグラウンド受信を実行して、ユーザの利便性を向上させるために他のＤＶＢ−Ｈサービスの情報に対して非通知でアクセスすることができる。後述するように、追加的に取得された情報により、異なるＤＶＢ−Ｈサービスへと切り換える際のユーザの待ち時間を短くすることができる。【００２５】  例えば、図２に示すように、ＤＶＢ−Ｈデータは、単一のＤＶＢ−Ｔ伝送チャネル上で多重されて伝送される。図２に示すように、ＤＶＢ−Ｈデータは、伝送チャネル２���０上を時分割多重送信方式で、タイムスライス、即ちバースト２２０，２３０，２４０として伝送される。バースト２２０，２３０，２４０の各々は、典型的には、約２Ｍビット（２５６Ｋバイト）のデータを含む。バーストデータを伝送するのに必要なバースト時間は、１６ＱＡＭが使用されるときは、約１４０ｍｓである。各バーストは、ビデオ又はオーディオ、及び／又は他のデータを含み、他のデータによって、バーストデータが伝送されないおおよそ５秒のオフタイム２６０を埋める。内部帯域幅及びバースト２２０〜２４０内を伝送されるデータ量によっては、バースト時間、即ちバーストの始めから終わりまでの時間は大きく変化する。バースト時間は、バーストサイズ（総ビット数）をバーストの帯域幅（１秒あたりの伝送レート）によって割ることによって計算される。ＤＶＢ−Ｔサービスの搬送パケットによって生じたオーバーヘッドを補償するために、訂正ファクタが考慮される場合もある。【００２６】  上記は、ＤＶＢ−ＨサービスをＤＶＢ−Ｔサービスに多重して伝送した場合であるが、
異なる多数のＤＶＢ−Ｈデータのストリームを、単一の伝送チャネルを時分割多重送信によって伝送することができる。バーストサイズ、バースト時間、バースト帯域幅及びオフタイムのようなバーストパラメータが、異なるデータのストリームの間で頻繁に変化する。【００２７】  送信機とＤＶＢ−Ｈ受信機間の同期は、新しいバーストが受信される度に受信機の時間測定を新たに開始することによって行われる。従って、この受信機の時間精度は単一のオフタイムのみを埋めるだけでよい。【００２８】  本発明の受信機によれば、バックグラウンド受信により、同一の伝送チャネル及び／又は他の伝送チャネルを伝送される異なる種類の情報にアクセスでき、特に、他のサービスによって提供されるイベント情報、ステータス情報等のようなＤＶＢ−Ｈ用のＳＩ（サービスインフォメーション）がバックグラウンドで取得される。ＤＶＢ−Ｈ用のＳＩは、まだ規定されていないが、現在ＤＶＢ−Ｔで使用されているサービス情報テーブルに類似するものと推測することができる。【００２９】  図４は、本発明の受信機１００の構成を示すブロック図である。この受信機１００は、伝送チャネル上を第１のデータが時分割されて時間軸上で離間した複数の第１バーストとして伝送されるＤＶＢ−Ｈサービスを受信する。また、この受信機１００は、同一の伝送チャネル又は第２の伝送チャネル上を第２のデータが時分割されて時間軸上で離間した複数の第２バーストとして伝送されるＤＶＢ−Ｈサービスを利用可能な受信機である。この受信機１００によれば、第１のデータの第１バーストのオフタイムの間にバックグラウンドで他のサービスの情報を受信し、ザッピングデータとしてメモリに保存しておく。そこで、他のサービスへ切り替える時には、従来は最大でオフタイムにわたる時間、すなわち本実施の形態では５秒を必要としたが、この受信機ではあらかじめメモリに保存されているザッピングデータにアクセスできるため、他のサービスの情報を得る時間を大幅に短縮できる。【００３０】  この受信機は、ＣＰＵ１、ＲＯＭ２、ＲＡＭ３、記憶部４、表示部５、入力部６、受信部７、復調部８、デコーダ９、抽出部１０、切替部１１、電源部１２、チューナ１３とを備える。ＣＰＵ１は全体を制御する。同一伝送チャンネル中に、第１のサービスに対応する第１の信号と第２のサービスに対応する第２の信号とがそれぞれ時間軸上でバースト的に伝送されている場合、受信部７は、現在選択されているサービスが第１のサービスの場合、第１の信号を受信する。復調部８は、受信部７で受信した第１の信号を復調する。デコーダ９は、復調部８で復調された第１の信号をデコードし、表示部５へ復調したデータを出力する。次に、第１の信号を受信していない期間に、受信部７は第２の信号を受信する。復調部８は、受信した第２の信号を復調する。さらに、デコーダ９は、復調した第２の信号をデコードする。抽出部１０は、受信した第２の信号に対する、復調されたデータあるいはデコードされたデータに基づいて、ザッピング用のデータを抽出する。記憶部４は、抽出したザッピングデータを第２のサービスに関するザッピングデータとして格納する。なお、記憶部４は、受信機１００内部のメモリでも、���るいは着脱可能なメモリやその他の記憶媒体であってもよい。チューナ１３は、送信機と受信機１００との間の同調をとる。入力部６は、ユーザによるサービスの選択を受け付ける。また、第１の信号及び第２の信号が伝送される伝送チャネルとは異なる伝送チャネルに第３の信号が伝送されている場合には、切替部１１は、第１の信号を受信していない期間に、第３の信号が伝送されている伝送チャネルの周波数にチューナを切り替え、受信部７は、第３の信号を受信する。受信した第３の信号に対するその他の処理は第２の信号に対して上述した通りなので省略する。【００３１】  図５は、受信機１００が同一のセル内で複数のチャネル（ＣＨ  Ｎ、ＣＨ  Ｎ＋１、ＣＨ  Ｎ＋２）からの複数のＤＶＢ−Ｈサービスを利用できる場合の概略図である。本発明の受信機１００は、複数のチャネルのうちの一つの伝送チャネルから一つのサービスを利用する際に、そのサービスのオフタイムの間にバックグラウンドで他のサービスの情報を受信しておくことができるので、ユーザが、その他のサービスに切り替える際に利用しやすくなる。【００３２】  複数のチャネル上を伝送される種々のＤＶＢ−Ｈサービスの例を図６に示す。示されるチャネルＮ，Ｎ＋１，Ｎ＋２の各々は、各特定サービスについてのバーストを一定の間隔で伝送する。【００３３】  図６に示すように、チャネルＮは、サービス１についてのバースト３１０を一定の間隔で伝送する。これらのバースト３１０間に、他のサービスのバースト３２０、即ちサービス２、サービス３、サービス４、及びサービス５が伝送される。この伝送方式は、繰り返して続けられる。同様に、サービス６〜１０がチャネルＮ＋１上を伝送され、サービス１１〜１５がチャネルＮ＋２上を伝送される。【００３４】  図６に示す例によれば、サービス１は、現在選択されているＤＶＢ−Ｈサービスを示す。サービス１のデータは、チャネルＮ上を一定の間隔で伝送されるバースト３１０から抽出される。【００３５】  バースト３１０の間隔の間に、ＤＶＢ−Ｈの受信部は、バッテリの消費電力を削減するために電源を切ることもできる。あるいは、バースト間の他の複数のサービスにアクセスして他のＤＶＢ−Ｈサービスについての情報を抽出するバックグラウンド受信が実行される。【００３６】  図６に示すように、最初のオフタイムは、同じ伝送チャネルＮを伝送される他のサービス、即ち、サービス２、サービス３、サービス４、及びサービス５上にアクセスするために用いられる。２つ目のオフタイムの間は、ＤＶＢ−Ｈ受信機は、チャネルＮ＋１上を伝送されるサービス８，９，及び１０から情報を抽出する。その後のオフタイムの間には、チャネルＮ＋２からサービス１１及び１５に関する情報が抽出される。【００３７】  異なるチャネルＮ，Ｎ＋１，Ｎ＋２内を伝送されるサービスが互いに同期していない場合は、伝送チャネルＮ＋１及びＮ＋２内のサービス１と同じ時間で重複するサービスもまた、その後のオフタイムでアクセスすることができる。この方法では、ＵＨＦ帯域全体を評価することができ、全てのサービスの情報が集められ、受信機の中に格納され得る。ユーザが他のサービスに切り換える指示を出した際には直ちに、予め格納され復号化さ��た情報が、受信機のメモリから抽出されて、ユーザに対して表示される。【００３８】  他のサービスに対するアクセスに基づいて、サービスの種類及びそこに配された現在の内容を指示するのに役立つであろう情報が抽出される。抽出された情報は、受信機に記憶される。【００３９】  記憶された情報は、このＤＶＢ−Ｈ方式の長い切り換え時間を埋めるために用いられる。本発明に基づいて、視聴者は、新たに選択したサービスで良いか、又は別のサービスにさらに切り換えるかを直ちに決定できる。この切り換えは、新しく選択したサービスの最初のバーストを待たずに行うことができる。他の伝送チャネルに提供されるサービスに切り換える際には、待ち時間には、さらに、他の伝送チャネルへ切り換える同期手順が含まれる。このように、本発明を用いることにより、ユーザの利便性をかなり改善することができる。【００４０】  受信機の内部メモリに格納されたサービス情報を常に更新しておくために、受信機は、記憶されたサービス情報を頻繁に取得し更新する。このような更新操作は、現在利用できる全てのＤＶＢ−Ｈサービスについて繰り返し行うことができる。そのような更新操作は、バッテリーの電源容量やユーザの好み等に基づいて実行することもできる。【００４１】  バックグラウンド受信の間に行われる操作の典型的な例は、他のＤＶＢ−Ｈサービスからスナップショットを獲得することである。好ましくは、スナップショットは、ビデオデータを含む現在利用できる全てのＤＶＢ−Ｈサービスか、あるいは、全ての有効なサービスのうち、予め選択されたもののみから取得される。スナップショットは、現在伝送されているＤＶＢ−Ｈビデオサービスの特定の一つのビデオ画像である。同じチャネル又は他の伝送チャネルの他のＤＶＢ−Ｈビデオサービスに切り換えると、各スナップショットのデータが、ザッピングデータとして、直ちに視聴者に表示される。このスナップショットは、ビデオ画像のＩピクチャなどが選ばれる。【００４２】  図７にフローチャートを示す。図６の伝送方式を参照して、ＤＶＢ−Ｈサービスデータを受信する１つの方法について説明する。
（ａ）特定のＤＶＢ−Ｈサービス（伝送チャネル）を選択する（ステップＳ１０）。この例ではチャネルＮのサービス１（Ｓｅｒｖｉｃｅ  １）を選択する。このサービス１は第１のビデオ信号を含む。
（ｂ）ＤＶＢ−Ｈビデオデータのバーストの受信時間が判別される（ステップＳ２０）。
（ｃ）決定された伝送方式に従って、ＤＶＢ−Ｈデータを含むバーストが受信され（ステップＳ３０）、そのバーストからＤＶＢ−Ｈデータ（ビデオ信号）が抽出される（ステップＳ４０）。この例ではサービス１の第１バーストが受信され、第１のビデオ信号が抽出される。
（ｄ）バースト３１０の間のオフタイムの間に、受信機は、同一の伝送チャネル又は他の伝送チャネルに切り換える（ステップＳ５０）。この例では、最初のオフタイムには同一の伝送チャネル、次のオフタイムにはチャネルＮ＋１、さらに次のオフタイムにはチャネルＮ＋２に切り替える。
（ｅ）同一の伝送チャネル又は他の伝送チャネル上を伝送される他のＤＶＢ−Ｈサービスのバーストを受信する（ステップＳ６０）。この例では、最初のオフタイムには同一の伝送チャネルからサービス２、サービス３、サービス４のタイムスロットを受信し、次のオフタイムにはチャネルＮ＋１内のサービス８〜１０、さらに次のオフタイムにはチャネルＮ＋２内のサービス１５、サービス１１を受信する。【００４３】（ｆ）受信機は、現在提供されている全ての或いは予め選択したＤＶＢ−Ｈサービスを獲得するために、他のＤＶＢ−Ｈサービスから、好ましくは、サービス情報又はスナップショットデータのような補助情報等の情報を抽出する（ステップＳ７０）。
（ｇ）他のＤＶＢ−Ｈサービスから取得された情報は、受信機の記憶部に格納される（ステップＳ８０）。この記憶部は、受信機の内部に設けられたメモリであってもよく、着脱可能なメモリであってもよい。【００４４】（ｈ）ステップＳ１０で選択されたものとは異なる他のサービスに切り換える（ステップＳ９０）と、待ち時間は、すでに取得されていたそのＤＶＢ−Ｈサービスに関連する情報をメモリから読み出して直ちに表示するだけである（ステップＳ１００）。
（ｉ）新しく選択されたＤＶＢ−Ｈサービスの最初のバーストが受信されるまで、受信機の内部メモリからのデータが表示される。【００４５】  図６で示したように、複数の異なるＤＶＢ−Ｈサービスが、現在受信されているチャネル上に、および他のチャネルを用いて伝送されている。好ましい例では、配信されたデータ上の情報を取得するために、全ての利用できる他のサービスにアクセスできる。しかし、バッテリ式受信機の場合、バッテリ容量に限りがあるため、選択された数の他のサービスだけをバックグラウンド受信中にアクセスして、受信機のメモリに格納してもよい。また、他のサービスにアクセスする時間間隔をのばして、各サービスのデータの更新間隔を長くしても良い。【００４６】  受信機によってモニターされる他のサービスの数が制限されるときは、受信機は、アクセスするように予め決定されたサービスのリストを格納する。この「サービスリスト」は、ユーザが好むサービスを示す。サービスリストは、ユーザ自身によって編集されるか、好ましくは、自動的に作成されるかのいずれかである。【００４７】  このリストに基づいて、受信機は、「サービスリスト」に従ってオフタイムの間に他のサービスに切り換えることによってバックグラウンド受信を実行する。他のサービスは、アクセスしやすいかどうかを考慮してアクセスされ、例えば、同じ伝送チャネルＮ上で提供されたサービスがまずアクセスされた後に、他のチャネル上を伝送されるサービスに切り換える。抽出された情報は相応の方法で更新される。あるいは、「サービスリスト」は、互いの個々のサービスの優先度を示す。そのような優先度に基づいて、優先度の低いサービスがスキャンされる前に、優先度の高いサービスがスキャンされる。【００４８】  「サービスリスト」に含まれるサービスの数、及びそれらの優先度は、双方とも自動的に作成され、且つ絶えず受信機のメモリに格納される。このため、現在選択されているサービス、及び選択されたサービスの時間がモニターされて評価される。取得された好ましいサービスの特性に基づいて、受信機は、ユーザの好みに合うサービスリストを作成する。【００４９】  サービスリストの自動作成を完成するために、受信機は、特定のサービスの選択回数と特別なサービスの選択期間をカウントする。検出されたサービス選択履歴に基づいて、最も好ましいサービスと好ましくないサービスが決定される。【００５０】  どのサービスが他のサービスよりも好ましいかを決定する際には、受信機は、特に受信時間だけを考慮するか、または過去の結果の重みを低くしてもよい。【００５１】  ユーザが定義したキーワードに基づいて、バックグラウンド受信の間に取得された情報を評価することができ、キーワードと格納された情報の間の一致が検出されると、予め定義された動作が開始される。一致を検出すると、受信機は、現在表示されている画像内、あるいは、画像領域の外側の画面中の予め指定された領域に指示を挿入することができる。そのような指示は、キーワードそのもの、取得されたテキスト情報、他のサービスのＩＤ等であってもよい。テキスト情報は、共通に伝送されたＨＴＭＬファイル、Ｊａｖａ（登録商標）テキストファイル、テレテキスト（���字放送）、及び類似のテキストソースから容易に抽出することができる。【００５２】  一致を検出したことをユーザに通知した後で、受信機は、ユーザの確認を受けて、例えば、予め定義されたボタンを押すことによって、一致が検出された他のサービスに切り換えてもよい。あるいは、一致を検出すると、受信機は、現在表示されているＤＶＢ−Ｈサービスを直ちに中断し、ユーザの確認を待つことなく、一致が検出されたサービスに自動的に切り換えることもできる。【００５３】  このように、バックグラウンド受信は、現在選択されているＤＶＢ−Ｈサービスに関係なく、ユーザに更新情報を提供するために用いることもできる。例えば、スポーツの試合の最新のスコア、特別なトピックに関する最新のニュース、又は株式市場での新価格を、直ちにユーザに通知することができる。【００５４】  さらに、他のサービスにおける所望の内容の放送は、前もって検出されてユーザに通知することもできる。このために、現在表示されているＤＶＢ−Ｈサービスに、「次のイベント：世界のニュースが２分後にチャネル３で開始」のようなテキストを重ねることもできる。【００５５】  要約すると、本発明は、バッテリ式のＤＶＢ−Ｈ用携帯受信機に関する。ＤＶＢ−Ｈサービスデータは、伝送チャネル上でバーストとして伝送される。バーストは、間に数秒のオフタイムを有する間隔で伝送される。これらのオフタイムは、バックグラウンド受信に用いられる。バックグラウンド受信中に、他のサービスからの情報が取得されて受信機のメモリに記憶される。ユーザが他のサービスに切り換えると、このサービスに関して格納された情報は、新しいサービスの最初のバーストが受信されるまでの時間を埋めるために直ちに表示される。取得された情報は、テキスト又は静止画を含んでもよい。このバックグラウンド受信方式では、他のサービスをスキャンし、好ましくは取得された情報を更新するために受信機内で単一のチューナ／復調器を用いるだけでよい。バックグラウンド受信中に切り換えられる個々のサービス、及び生じ得る取得情報の更新は、現在のバッテリ状態、受信機の装備、及び／又はユーザの好みに基づいて実行される。【００５６】  上述の通り、本発明は好ましい実施形態により詳細に説明されているが、本発明はこれらに限定されるものではなく、以下の特許請求の範囲に記載された本発明の技術的範囲内において多くの好ましい変形例及び修正例が可能であることは当業者にとって自明なことであろう。【００５７】  なお、本発明は様々な実施の形態に示されている以下の構成をとることができる。第１の構成によれば、バーストの形態で第１のデータを伝送する伝送チャネルから前記第１のデータを受信する方法であって、前記バースト（２２０〜２４０）は、前記伝送チャネル（１１０）上を間隔（２６０）をあけて伝送され、第２のデータが、前記バースト（２２０〜２４０）の間隔の間に前記同じ伝送チャネル（１１０）上を伝送され、且つ／又は他の伝送チャネル上をバーストの形態で伝送され、
前記伝送チャネル（１１０）上を伝送されるバースト（２２０〜２４０）から前記第１のデータを抽出するステップと、
前記第１のデータのバーストが伝送されない間隔の間に、前記第１のデータの受信から、前記同じチャネル又は前記他の伝送チャネル上をバーストとして伝送される第２のデータの受信に切り換えるステップと、
前記第２のデータから情報を抽出するステップ（Ｓ７０）と、
前記抽出された情報を格納するステップ（Ｓ８０）と
を含むことを特徴とする方法である。【００５８】  第２の構成によれば、バースト（２２０〜２４０）の形態で第１のデータを伝送する伝送チャネル（１１０）から前記第１のデータを受信する受信機であって、前記バースト（２２０〜２４０）は、前記伝送チャネル（１１０）上を間隔（２６０）をあけて伝送され、第２のデータが、前記バースト（２２０〜２４０）の間隔の間に前記同じ伝送チャネル（１１０）上を伝送され、且つ／又は他の伝送チャネル上をバーストの形態で伝送され、
前記伝送チャネル（１１０）上を伝送されるバースト（２２０〜２４０）から前記第１のデータを抽出する（Ｓ４０）第１抽出手段と、
前記受信を、前記第１のデータから、前記第１のデータのバーストが伝送されない間に、前記同じチャネル又は前記他の伝送チャネル（１１０）上をバーストとして伝送される第２のデータに切り換える切り換え手段と、
前記第２のデータから情報を抽出する（Ｓ７０）第２抽出手段と、
前記抽出された情報を格納する（Ｓ８０）記憶手段と
を含むことを特徴とする受信機である。
【図１】
2005060113.tif 000002
【図２】
2005060113.tif 000003
【図３】
2005060113.tif 000004
【図４】
2005060113.tif 000005
【図５】
2005060113.tif 000006
【図６】
2005060113.tif 000007
【図７】
2005060113.tif 000008
【手続補正書】
【提出日】平成18年6月27日(2006.6.27)
【手続補正１】
【補正対象書類名】特許請求の範囲
【補正対象項目名】全文
【補正方法】変更
【補正の内容】
【特許請求の範囲】
【請求項１】
複数のサービスそれぞれに対応する複数のデータに関する情報をそれぞれ含む複数の入力信号に対して、選択された１つのサービスに対応する信号を受信する受信方法であって、
前記複数の入力信号は、第１の周波数チャネル上を時間軸上でそれぞれバースト的に伝送されており、
選択されたサービスに対応する入力信号を受信し、
受信した入力信号を復調した後出力し、
前記選択されたサービスに対応する入力信号を受信しない期間に、選択された以外のサービスに対応する入力信号を受信し、
受信した前記選択された以外のサービスに対応する入力信号を復調し、
前記選択された以外のサービスに対応する入力信号を復調した結果に基づき、前記選択された以外のサービスに関するザッピングデータを抽出し、
前記ザッピングデータを格納する受信方法。
【請求項２】
サービスの選択が変更された場合には、
変更されたサービスに対応する前記格納されたザッピングデータを出力する請求項１記載の受信方法。
【請求項３】
前記変更されたサービスに対応する前記格納されたザッピングデータを出力中に、前記変更されたサービスに対応する入力信号を受信した場合、
受信した前記変更されたサービスに対応する入力信号を復調した後出力する請求項２記載の受信方法。
【請求項４】
前記選択された以外のサービスに対応する入力信号を受信する処理は、前記選択されたサービスに対応する入力信号を受信しない期間でかつ、所定の周期で行われ、
格納された前記ザッピングデータを更新する請求項１〜３のいずれか一項に記載の受信方法。
【請求項５】
前記複数の入力信号は、前記第１の周波数チャネルと異なる第２の周波数チャネル上を時間軸上でそれぞれバースト的に伝送される複数の信号をさらに含み、
前記選択されたサービスに対応する入力信号を受信しない期間に、前記第２の周波数チャネルに切り替え、
前記第２の周波数チャネル上の入力信号を受信し、
受信した前記第２の周波数チャネル上の入力信号を復調し、
前記第２の周波数チャネル上の入力信号を復調した結果に基づき、前記第２の周波数チャネル上の入力信号に関するザッピングデータを抽出し、
前記ザッピングデータを格納する請求項１〜４のいずれか一項に記載の受信方法。
【請求項６】
前記サービスに対応する前記データはビデオデータを含み、
前記ザッピングデータは、前記ビデオデータに含まれる静止画像データである請求項１〜５のいずれか一項に記載の受信方法。
【請求項７】
前記サービスに対応する前記データはビデオデータを含み、
前記ザッピングデータは、前記ビデオデータに関する補助情報である請求項１〜５のいずれか一項に記載の受信方法。
【請求項８】
前記補助情報は、前記ビデオデータのタイトル情報又はサービスプログラム情報を含む請求項７記載の受信方法。
【請求項９】
前記ザッピングデータは、テキストデータを含む請求項１〜８のいずれか一項に記載の受信方法。
【請求項１０】
複数のサービスそれぞれに対応する複数のデータに関する情報をそれぞれ含む複数の入力信号に対して、選択された１つのサービスに対応する信号を受信する受信装置であって、
前記複数の入力信号は、の第１の周波数チャネル上を時間軸上でそれぞれバースト的に伝送されており、
選択されたサービスに対応する入力信号を受信する受信部と、
受信した入力信号を復調した後出力する復調部とを備え、
前記受信部は、前記選択されたサービスに対応する入力信号を受信しない期間に、選択された以外のサービスに対応する入力信号を受信し、
前記復調部は、受信した前記選択された以外のサービスに対応する入力信号を復調し、
前記選択された以外のサービスに対応する入力信号を復調した結果に基づき、前記選択された以外のサービスに関するザッピングデータを抽出する抽出部と、
前記ザッピングデータを格納する記憶部とを備える受信装置。
【請求項１１】
サービスの選択が変更された場合には、
変更されたサービスに対応する前記格納されたザッピングデータを出力する請求項１０記載の受信装置。
【請求項１２】
前記変更されたサービスに対応する前記格納されたザッピングデータを出力中に、前記変更されたサービスに対応する入力信号を受信した場合、
前記復調部は、受信した前記変更されたサービスに対応する入力信号を復調した後出力する請求項１１記載の受信装置。
【請求項１３】
前記受信部が行う前記選択された以外のサービスに対応する入力信号を受信する処理は、前記選択されたサービスに対応する入力信号を受信しない期間でかつ、所定の周期で行われ、
前記記憶部は、格納された前記ザッピングデータを更新する請求項１１〜１２のいずれか一項に記載の受信装置。
【請求項１４】
前記複数の入力信号は、前記第１の周波数チャネルと異なる第２の周波数チャネル上を時間軸上でそれぞれバースト的に伝送される複数の信号をさらに含み、
前記選択されたサービスに対応する入力信号を受信しない期間に、前記受信部の受信周波数を前記第２の周波数チャネルに切り替える切替部をさらに備え、
前記受信部は、前記第２の周波数チャネル上の入力信号を受信し、
前記復調部は、受信した前記第２の周波数チャネル上の入力信号を復調し、
前記抽出部は、前記第２の周波数チャネル上の入力信号を復調した結果に基づき、前記第２の周波数チャネル上の入力信号に関するザッピングデータを抽出し、
前記格納部は、前記ザッピングデータを格納する請求項１０〜１３のいずれか一項に記載の受信装置。
【請求項１５】
前記サービスに対応する前記データはビデオデータを含み、
前記ザッピングデータは、前記ビデオデータに含まれる静止画像データである請求項１０〜１４のいずれか一項に記載の受信装置。
【請求項１６】
前記サービスに対応する前記データはビデオデータを含み、
前記ザッピングデータは、前記ビデオデータに関する補助情報である請求項１０〜１４のいずれか一項に記載の受信装置。
【請求項１７】
前記補助情報は、前記ビデオデータのタイトル情報又はサービスプログラム情報を含む請求項１６記載の受信装置。
【請求項１８】
前記ザッピングデータは、テキストデータを含む請求項１０〜１７のいずれか一項に記載の受信装置。
【手続補正２】
【補正対象書類名】明細書
【補正対象項目名】全文
【補正方法】変更
【補正の内容】
【発明の詳細な説明】
【技術分野】
【０００１】
本発明は、伝送チャネルを通してデータを伝送する送信方法及び受信方法に関する。特に、本発明は、所定の伝送方式によって、ひとつの伝送チャネルを用いて、複数のデータを伝送する送受信方法に関する。
【背景技術】
【０００２】
デジタル放送方式の伝送規格は、地上、衛星、ケーブルなどの伝送路毎に規格化されてきた。規格化された地上デジタル放送方式ＤＶＢ−Ｔ（Digital Video Broadcasting - Terrestrial）は、主として、家庭、オフィス等での固定受信をターゲットにしていた。しかし、携帯端末等で、地上デジタル放送を受信しようとした場合、限られたバッテリ容量のため、長時間視聴することができない。
【０００３】
そのため、現在新しく、ＤＶＢ−Ｈ（Digital Video Broadcasting - Handheld）という伝送規格が策定されている。これは、携帯電話などの携帯端末での使用を想定している。
【０００４】
ＤＶＢ−Ｈ規格は、既存の地上デジタル放送規格ＤＶＢ−Ｔに基づいている。ＤＶＢ−Ｔは、通常、１サービスあたり３Ｍｂｐｓ以上の帯域幅が必要であるが、携帯端末で使用されるサービスは、受信機の画面が小さいため、比較的小さい伝送容量で十分である。ＭＰＥＧ−４のような高度ビデオ圧縮技術を用いたビデオを流すために必要な最大ビットレートは、数１００ｋｂｐｓ程度である。ＤＶＢ−Ｈ伝送規格は、基本的には、ＤＶＢ−Ｔ規格をベースに、各々のサービス毎に、時分割多重送信（ＴＤＭ）する方式である。このため、瞬時伝送レートは高いが、各サービス毎の、平均伝送レートは小さくなっている。この時分割送信された各サービスのことを、タイムスライス或いはバーストと呼ぶ。
【０００５】
各ＤＶＢ−Ｈサービスはバーストの形態で伝送され、各バーストは複数のシンボルの集まりで所定のバースト長がある。特定のサービスはバーストとして所定の間隔の送出周期で送出される。その他の期間は、別のサービスが同様にバーストとして伝送される。そのため、特定のサービスを受信する場合は、そのサービスが伝送されていない区間は、フロントエンドの電源をオフにすることができる。受信側での電力消費を削減するには、バースト間隔をできるだけ長く取ればよい。こうすれば、受信側で、フロントエンドの電源を長い期間オフにすることができる。約５秒のオフタイム及び０．５秒未満のオンタイムとすれば、約９０％の電力の節約を達成することができる。
【発明の開示】
【発明が解決しようとする課題】
【０００６】
しかしながら、バースト間隔が５秒程度になると、サービス間の切り換え時間が長くなるという問題を生じる。同じチャネル又は他のチャネルで伝送される他のサービスに切り換える場合、画像は最初のバーストの受信後にしか再生されない。したがって、ユーザは、新しく選択されるサービス毎に、各サービスの最初のバーストが伝送されるのを待たなければならない。このため、様々なサービス間で速い切り替えを実現することができない。
【０００７】
ＤＶＢ−Ｈサービスは、同一チャネルで様々なサービスが伝送されるが、隣接するセルでは、異なるチャネルを用いて、同一のサービスが伝送される。サービスエリア境界では、一般的に、複数の異なる伝送チャネルが受信される。ＤＶＢ−Ｈ移動受信機が現在のセルから隣接するセルに移動しているときには、それに応じて受信周波数が変更される。切り換えは、双方のセルの間の重複しているエリアで行われる。ハンドオーバーは、ＤＶＢ−Ｈサービスのユーザが、意識することなく実行される。
【０００８】
これらの伝送方式を考慮して、本発明の目的は、特に、異なるサービスのスムーズな切り換えを行うためのバックグラウンド受信ができる受信器及び受信方法を提供することにある。
【課題を解決するための手段】
【０００９】
本発明によれば、複数のサービスそれぞれに対応する複数のデータに関する情報をそれぞれ含む複数の入力信号に対して、選択された１つのサービスに対応する信号を受信する受信装置あって、前記複数の入力信号は、同一の第１の周波数チャネル上を時間軸上でそれぞれバースト的に伝送されており、選択されたサービスに対応する入力信号を受信する受信部と、受信した入力信号を復調した後出力する復調部とを備え、前記受信部は、前記選択されたサービスに対応する入力信号を受信しない期間に、選択された以外のサービスに対応する入力信号を受信し、前記復調部は、受信した前記選択された以外のサービスに対応する入力信号を復調し、前記選択された以外のサービスに対応する入力信号を復調した結果に基づき、前記選択された以外のサービスに関するザッピングデータを抽出する抽出部と、前記ザッピングデータを格納する記憶部とを備える。
【００１０】
さらに、本発明によれば、サービスの選択が変更された場合には、変更されたサービスに対応する前記格納されたザッピングデータを出力する。
【００１１】
さらに、本発明によれば、前記変更されたサービスに対応する前記格納されたザッピングデータを出力中に、前記変更されたサービスに対応する入力信号を受信した場合、前記復調部は、受信した前記変更されたサービスに対応する入力信号を復調した後出力する。
【００１２】
さらに、本発明によれば、前記受信部が行う前記選択された以外のサービスに対応する入力信号を受信する処理は、前記選択されたサービスに対応する入力信号を受信しない期間でかつ、所定の周期で行われ、前記記憶部は、格納された前記ザッピングデータを更新する。
【００１３】
さらに、本発明によれば、前記複数の入力信号は、前記第１の周波数チャネルと異なる第２の周波数チャネル上を時間軸上でそれぞれバースト的に伝送される複数の信号をさらに含み、前記選択されたサービスに対応する入力信号を受信しない期間に、前記受信部の受信周波数を前記第２の周波数チャネルに切り替える切替部をさらに備え、前記受信部は、前記第２の周波数チャネル上の入力信号を受信し、前記復調部は、受信した前記第２の周波数チャネル上の入力信号を復調し、前記抽出部は、前記第２の周波数チャネル上の入力信号を復調した結果に基づき、前記第２の周波数チャネル上の入力信号に関するザッピングデータを抽出し、前記格納部は、前記ザッピングデータを格納する。
【００１４】
さらに、本発明によれば、前記サービスに対応する前記データはビデオデータを含み、前記ザッピングデータは、前記ビデオデータに含まれる静止画像データである。
【００１５】
さらに、本発明によれば、前記サービスに対応する前記データはビデオデータを含み、前記ザッピングデータは、前記ビデオデータに関する補助情報である。
【００１６】
さらに、本発明によれば、前記補助情報は、前記ビデオデータのタイトル情報又はサービスプログラム情報を含む。この補助情報としては、例えばサービスのジャンル、ビデオデータの内容に関するイベント情報又は「電気サービスガイド」のようなサービス情報を示すテキストスタイルの情報を含むこともできる。
【００１７】
本発明によれば、ユーザは意識せずに現在視聴中のサービス以外のサービスに関するザッピングデータを取得し格納することができ、このザッピングデータの取得は、バースト的に伝送されてくる、ユーザが現在視聴中のサービスに対応する信号を受信していないオフタイム期間が用いられる。これにより、ユーザが実際に現在視聴中のサービス以外のサービスに切り換える時に、予め取得したザッピングデータを、ユーザに表示し提供することができる。ユーザは、所望のサービスに対する切り換え操作が完了して所望のサービスが表示されるまで、待つ必要がなくなる。つまり、ユーザが他のサービスに切り換えた後、バースト的に伝送されてくる切り替えたサービスの信号を受信する前でも、ザッピングデータを直ちに表示することができる。これにより、ユーザは、次に視聴を望むサービスを直ちに選択することができる。
【発明を実施するための最良の形態】
【００１８】
本発明は、現在提案されているＤＶＢ−Ｈ伝送サービスのためのバックグラウンド受信を可能にするＤＶＢ−Ｈサービスの改良された伝送に関する。
【００１９】
ＤＶＢ−Ｈサービスは、ＤＶＢ−Ｔサービスを伝送するために使用されるものと同じ伝送チャネル内で伝送される。異なる伝送チャネルは、多周波数ネットワーク（ＭＦＮ）の形態で配置されている。多周波数ネットワークでは、同一のＤＶＢ−Ｈデータが、隣接するセルにおいて異なる周波数で伝送される。そのような多周波数ネットワークの構成は、図１に模式的に示される。
【００２０】
図１のセルの構成は、多周波数ネットワークの４つのセルを表している。各セル１１０〜１４０は、異なるチャネル（ＣＨ２７、ＣＨ２９、ＣＨ２３、ＣＨ３７）で、ＤＶＢ−Ｔ及びＤＶＢ−Ｈが多重された同一のトランスポートストリームを伝送する。ひとつのチューナ及び復調器を含むＤＶＢ−Ｈ移動受信機１００は、セル１１０内で伝送される（ＣＨ）２７のＤＶＢ−Ｈ信号を現在受信している。図１に示すように、ＤＶＢ−Ｈ移動受信機１００は、現在使用されているセル１１０から隣接しているセル１３０へと移動しているとする。同じＤＶＢ−Ｈサービスの受信を維持するためには、移動受信機１００は、新しいセルの伝送エリアに入るときに受信周波数を変更、即ち、ハンドオーバをしなければならない。
【００２１】
ハンドオーバは、隣接しているそれぞれのセル１１０，１３０の間の重複しているエリアで実行される。受信周波数は、一般的に、現在のセルと新しいセルの受信電界強度に基づいて切り換えられる。現在のセルの電界強度は減少するが、新しいセルの受信周波数で検出される受信電界強度は、ＤＶＢ−Ｈ受信機１００が近づくにつれ増大する。このように、ＤＶＢ−Ｈサービスでは、ユーザが意識することなく、受信周波数の切り換えすなわちハンドオーバを行うことができる。
【００２２】
上記ハンドオーバについて、図３を用いて説明する。セル１１０からセル１３０へと移動している受信機１００は、サービスＡのオフタイムの間に隣接するセル１３０、１４０のサービスの一部分のバーストを受信して、同じサービスＡがあるかを探索する。図３では、最初のオフタイム１でセル１４０のサービスを受信し、次のオフタイム２でセル１３０のサービスを受信している。この例ではセル１３０のサービスから同じサービスＡを見つけることができ、セル１３０からの受信へと移行することができる。このハンドオーバは隣接セルの間で重複してサービスを受けることができる範囲で同じサービスＡの移行に限って実行される。
【００２３】
ひとつのチューナ及び復調器が１つだけ組み込まれているＤＶＢ−Ｈ移動受信機１００は、さらに、バックグラウンド受信を実行して、ユーザの利便性を向上させるために他のＤＶＢ−Ｈサービスの情報に対して非通知でアクセスすることができる。後述するように、追加的に取得された情報により、異なるＤＶＢ−Ｈサービスへと切り換える際のユーザの待ち時間を短くすることができる。
【００２４】
例えば、図２に示すように、ＤＶＢ−Ｈデータは、単一のＤＶＢ−Ｔ伝送チャネル上で多重されて伝送される。図２に示すように、ＤＶＢ−Ｈデータは、伝送チャネル２００上を時分割多重送信方式で、タイムスライス、即ちバースト２２０，２３０，２４０として伝送される。バースト２２０，２３０，２４０の各々は、典型的には、約２Ｍビット（２５６Ｋバイト）のデータを含む。バーストデータを伝送するのに必要なバースト時間は、１６ＱＡＭが使用されるときは、約１４０ｍｓである。各バーストは、ビデオ又はオーディオ、及び／又は他のデータを含み、他のデータによって、バーストデータが伝送されないおおよそ５秒のオフタイム２６０を埋める。内部帯域幅及びバースト２２０〜２４０内を伝送されるデータ量によっては、バースト時間、即ちバーストの始めから終わりまでの時間は大きく変化する。バースト時間は、バーストサイズ（総ビット数）をバーストの帯域幅（１秒あたりの伝送レート）によって割ることによって計算される。ＤＶＢ−Ｔサービスの搬送パケットによって生じたオーバーヘッドを補償するために、訂正ファクタが考慮される場合もある。
【００２５】
上記は、ＤＶＢ−ＨサービスをＤＶＢ−Ｔサービスに多重して伝送した場合であるが、
異なる多数のＤＶＢ−Ｈデータのストリームを、単一の伝送チャネルを時分割多重送信によって伝送することができる。バーストサイズ、バースト時間、バースト帯域幅及びオフタイムのようなバーストパラメータが、異なるデータのストリームの間で頻繁に変化する。
【００２６】
送信機とＤＶＢ−Ｈ受信機間の同期は、新しいバーストが受信される度に受信機の時間測定を新たに開始することによって行われる。従って、この受信機の時間精度は単一のオフタイムのみを埋めるだけでよい。
【００２７】
本発明の受信機によれば、バックグラウンド受信により、同一の伝送チャネル及び／又は他の伝送チャネルを伝送される異なる種類の情報にアクセスでき、特に、他のサービスによって提供されるイベント情報、ステータス情報等のようなＤＶＢ−Ｈ用のＳＩ（サービスインフォメーション）がバックグラウンドで取得される。ＤＶＢ−Ｈ用のＳＩは、まだ規定されていないが、現在ＤＶＢ−Ｔで使用されているサービス情報テーブルに類似するものと推測することができる。
【００２８】
図４は、本発明の受信機１００の構成を示すブロック図である。この受信機１００は、伝送チャネル上を第１のデータが時分割されて時間軸上で離間した複数の第１バーストとして伝送されるＤＶＢ−Ｈサービスを受信する。また、この受信機１００は、同一の伝送チャネル又は第２の伝送チャネル上を第２のデータが時分割されて時間軸上で離間した複数の第２バーストとして伝送されるＤＶＢ−Ｈサービスを利用可能な受信機である。この受信機１００によれば、第１のデータの第１バーストのオフタイムの間にバックグラウンドで他のサービスの情報を受信し、ザッピングデータとしてメモリに保存しておく。そこで、他のサービスへ切り替える時には、従来は最大でオフタイムにわたる時間、すなわち本実施の形態では５秒を必要としたが、この受信機ではあらかじめメモリに保存されているザッピングデータにアクセスできるため、他のサービスの情報を得る時間を大幅に短縮できる。
【００２９】
この受信機は、ＣＰＵ１、ＲＯＭ２、ＲＡＭ３、記憶部４、表示部５、入力部６、受信部７、復調部８、デコーダ９、抽出部１０、切替部１１、電源部１２、チューナ１３とを備える。ＣＰＵ１は全体を制御する。同一伝送チャンネル中に、第１のサービスに対応する第１の信号と第２のサービスに対応する第２の信号とがそれぞれ時間軸上でバースト的に伝送されている場合、受信部７は、現在選択されているサービスが第１のサービスの場合、第１の信号を受信する。復調部８は、受信部７で受信した第１の信号を復調する。デコーダ９は、復調部８で復調された第１の信号をデコードし、表示部５へ復調したデータを出力する。次に、第１の信号を受信していない期間に、受信部７は第２の信号を受信する。復調部８は、受信した第２の信号を復調する。さらに、デコーダ９は、復調した第２の信号をデコードする。抽出部１０は、受信した第２の信号に対する、復調されたデータあるいはデコードされたデータに基づいて、ザッピング用のデータを抽出する。記憶部４は、抽出したザッピングデータを第２のサービスに関するザッピングデータとして格納する。なお、記憶部４は、受信機１００内部のメモリでも、あるいは着脱可能なメモリやその他の記憶媒体であってもよい。チューナ１３は、送信機と受信機１００との間の同調をとる。入力部６は、ユーザによるサービスの選択を受け付ける。また、第１の信号及び第２の信号が伝送される伝送チャネルとは異なる伝送チャネルに第３の信号が伝送されている場合には、切替部１１は、第１の信号を受信していない期間に、第３の信号が伝送されている伝送チャネルの周波数にチューナを切り替え、受信部７は、第３の信号を受信する。受信した第３の信号に対するその他の処理は第２の信号に対して上述した通りなので省略する。
【００３０】
図５は、受信機１００が同一のセル内で複数のチャネル（ＣＨ  Ｎ、ＣＨ  Ｎ＋１、ＣＨ  Ｎ＋２）からの複数のＤＶＢ−Ｈサービスを利用できる場合の概略図である。本発明の受信機１００は、複数のチャネルのうちの一つの伝送チャネルから一つのサービスを利用する際に、そのサービスのオフタイムの間にバックグラウンドで他のサービスの情報を受信しておくことができるので、ユーザが、その他のサービスに切り替える際に利用しやすくなる。
【００３１】
複数のチャネル上を伝送される種々のＤＶＢ−Ｈサービスの例を図６に示す。示されるチャネルＮ，Ｎ＋１，Ｎ＋２の各々は、各特定サービスについてのバーストを一定の間隔で伝送する。
【００３２】
図６に示すように、チャネルＮは、サービス１についてのバースト３１０を一定の間隔で伝送する。これらのバースト３１０間に、他のサービスのバースト３２０、即ちサービス２、サービス３、サービス４、及びサービス５が伝送される。この伝送方式は、繰り返して続けられる。同様に、サービス６〜１０がチャネルＮ＋１上を伝送され、サービス１１〜１５がチャネルＮ＋２上を伝送される。
【００３３】
図６に示す例によれば、サービス１は、現在選択されているＤＶＢ−Ｈサービスを示す。サービス１のデータは、チャネルＮ上を一定の間隔で伝送されるバースト３１０から抽出される。
【００３４】
バースト３１０の間隔の間に、ＤＶＢ−Ｈの受信部は、バッテリの消費電力を削減するために電源を切ることもできる。あるいは、バースト間の他の複数のサービスにアクセスして他のＤＶＢ−Ｈサービスについての情報を抽出するバックグラウンド受信が実行される。
【００３５】
図６に示すように、最初のオフタイムは、同じ伝送チャネルＮを伝送される他のサービス、即ち、サービス２、サービス３、サービス４、及びサービス５上にアクセスするために用いられる。２つ目のオフタイムの間は、ＤＶＢ−Ｈ受信機は、チャネルＮ＋１上を伝送されるサービス８，９，及び１０から情報を抽出する。その後のオフタイムの間には、チャネルＮ＋２からサービス１１及び１５に関する情報が抽出される。
【００３６】
異なるチャネルＮ，Ｎ＋１，Ｎ＋２内を伝送されるサービスが互いに同期していない場合は、伝送チャネルＮ＋１及びＮ＋２内のサービス１と同じ時間で重複するサービスもまた、その後のオフタイムでアクセスすることができる。この方法では、ＵＨＦ帯域全体を評価することができ、全てのサービスの情報が集められ、受信機の中に格納され得る。ユーザが他のサービスに切り換える指示を出した際には直ちに、予め格納され復号化された情報が、受信機のメモリから抽出されて、ユーザに対して表示される。
【００３７】
他のサービスに対するアクセスに基づいて、サービスの種類及びそこに配された現在の内容を指示するのに役立つであろう情報が抽出される。抽出された情報は、受信機に記憶される。
【００３８】
記憶された情報は、このＤＶＢ−Ｈ方式の長い切り換え時間を埋めるために用いられる。本発明に基づいて、視聴者は、新たに選択したサービスで良いか、又は別のサービスにさらに切り換えるかを直ちに決定できる。この切り換えは、新しく選択したサービスの最初のバーストを待たずに行うことができる。他の伝送チャネルに提供されるサービスに切り換える際には、待ち時間には、さらに、他の伝送チャネルへ切り換える同期手順が含まれる。このように、本発明を用いることにより、ユーザの利便性をかなり改善することができる。
【００３９】
受信機の内部メモリに格納されたサービス情報を常に更新しておくために、受信機は、記憶されたサービス情報を頻繁に取得し更新する。このような更新操作は、現在利用できる全てのＤＶＢ−Ｈサービスについて繰り返し行うことができる。そのような更新操作は、バッテリーの電源容量やユーザの好み等に基づいて実行することもできる。
【００４０】
バックグラウンド受信の間に行われる操作の典型的な例は、他のＤＶＢ−Ｈサービスからスナップショットを獲得することである。好ましくは、スナップショットは、ビデオデータを含む現在利用できる全てのＤＶＢ−Ｈサービスか、あるいは、全ての有効なサービスのうち、予め選択されたもののみから取得される。スナップショットは、現在伝送されているＤＶＢ−Ｈビデオサービスの特定の一つのビデオ画像である。同じチャネル又は他の伝送チャネルの他のＤＶＢ−Ｈビデオサービスに切り換えると、各スナップショットのデータが、ザッピングデータとして、直ちに視聴者に表示される。このスナップショットは、ビデオ画像のＩピクチャなどが選ばれる。
【００４１】
図７にフローチャートを示す。図６の伝送方式を参照して、ＤＶＢ−Ｈサービスデータを受信する１つの方法について説明する。
（ａ）特定のＤＶＢ−Ｈサービス（伝送チャネル）を選択する（ステップＳ１０）。この例ではチャネルＮのサービス１（Ｓｅｒｖｉｃｅ  １）を選択する。このサービス１は第１のビデオ信号を含む。
（ｂ）ＤＶＢ−Ｈビデオデータのバーストの受信時間が判別される（ステップＳ２０）。
（ｃ）決定された伝送方式に従って、ＤＶＢ−Ｈデータを含むバーストが受信され（ステップＳ３０）、そのバーストからＤＶＢ−Ｈデータ（ビデオ信号）が抽出される（ステップＳ４０）。この例ではサービス１の第１バーストが受信され、第１のビデオ信号が抽出される。
（ｄ）バースト３１０の間のオフタイムの間に、受信機は、同一の伝送チャネル又は他の伝送チャネルに切り換える（ステップＳ５０）。この例では、最初のオフタイムには同一の伝送チャネル、次のオフタイムにはチャネルＮ＋１、さらに次のオフタイムにはチャネルＮ＋２に切り替える。
（ｅ）同一の伝送チャネル又は他の伝送チャネル上を伝送される他のＤＶＢ−Ｈサービスのバーストを受信する（ステップＳ６０）。この例では、最初のオフタイムには同一の伝送チャネルからサービス２、サービス３、サービス４のタイムスロットを受信し、次のオフタイムにはチャネルＮ＋１内のサービス８〜１０、さらに次のオフタイムにはチャネルＮ＋２内のサービス１５、サービス１１を受信する。
【００４２】
（ｆ）受信機は、現在提供されている全ての或いは予め選択したＤＶＢ−Ｈサービスを獲得するために、他のＤＶＢ−Ｈサービスから、好ましくは、サービス情報又はスナップショットデータのような補助情報等の情報を抽出する（ステップＳ７０）。
（ｇ）他のＤＶＢ−Ｈサービスから取得された情報は、受信機の記憶部に格納される（ステップＳ８０）。この記憶部は、受信機の内部に設けられたメモリであってもよく、着脱可能なメモリであってもよい。
【００４３】
（ｈ）ステップＳ１０で選択されたものとは異なる他のサービスに切り換える（ステップＳ９０）と、待ち時間は、すでに取得されていたそのＤＶＢ−Ｈサービスに関連する情報をメモリから読み出して直ちに表示するだけである（ステップＳ１００）。
（ｉ）新しく選択されたＤＶＢ−Ｈサービスの最初のバーストが受信されるまで、受信機の内部メモリからのデータが表示される。
【００４４】
図６で示したように、複数の異なるＤＶＢ−Ｈサービスが、現在受信されているチャネル上に、および他のチャネルを用いて伝送されている。好ましい例では、配信されたデータ上の情報を取得するために、全ての利用できる他のサービスにアクセスできる。しかし、バッテリ式受信機の場合、バッテリ容量に限りがあるため、選択された数の他のサービスだけをバックグラウンド受信中にアクセスして、受信機のメモリに格納してもよい。また、他のサービスにアクセスする時間間隔をのばして、各サービスのデータの更新間隔を長くしても良い。
【００４５】
受信機によってモニターされる他のサービスの数が制限されるときは、受信機は、アクセスするように予め決定されたサービスのリストを格納する。この「サービスリスト」は、ユーザが好むサービスを示す。サービスリストは、ユーザ自身によって編集されるか、好ましくは、自動的に作成されるかのいずれかである。
【００４６】
このリストに基づいて、受信機は、「サービスリスト」に従ってオフタイムの間に他のサービスに切り換えることによってバックグラウンド受信を実行する。他のサービスは、アクセスしやすいかどうかを考慮してアクセスされ、例えば、同じ伝送チャネルＮ上で提供されたサービスがまずアクセスされた後に、他のチャネル上を伝送されるサービスに切り換える。抽出された情報は相応の方法で更新される。あるいは、「サービスリスト」は、互いの個々のサービスの優先度を示す。そのような優先度に基づいて、優先度の低いサービスがスキャンされる前に、優先度の高いサービスがスキャンされる。
【００４７】
「サービスリスト」に含まれるサービスの数、及びそれらの優先度は、双方とも自動的に作成され、且つ絶えず受信機のメモリに格納される。このため、現在選択されているサービス、及び選択されたサービスの時間がモニターされて評価される。取得された好ましいサービスの特性に基づいて、受信機は、ユーザの好みに合うサービスリストを作成する。
【００４８】
サービスリストの自動作成を完成するために、受信機は、特定のサービスの選択回数と特別なサービスの選択期間をカウントする。検出されたサービス選択履歴に基づいて、最も好ましいサービスと好ましくないサービスが決定される。
【００４９】
どのサービスが他のサービスよりも好ましいかを決定する際には、受信機は、特に受信時間だけを考慮するか、または過去の結果の重みを低くしてもよい。
【００５０】
ユーザが定義したキーワードに基づいて、バックグラウンド受信の間に取得された情報を評価することができ、キーワードと格納された情報の間の一致が検出されると、予め定義された動作が開始される。一致を検出すると、受信機は、現在表示されている画像内、あるいは、画像領域の外側の画面中の予め指定された領域に指示を挿入することができる。そのような指示は、キーワードそのもの、取得されたテキスト情報、他のサービスのＩＤ等であってもよい。テキスト情報は、共通に伝送されたＨＴＭＬファイル、Ｊａｖａ（登録商標）テキストファイル、テレテキスト（文字放送）、及び類似のテキストソースから容易に抽出することができる。
【００５１】
一致を検出したことをユーザに通知した後で、受信機は、ユーザの確認を受けて、例えば、予め定義されたボタンを押すことによって、一致が検出された他のサービスに切り換えてもよい。あるいは、一致を検出すると、受信機は、現在表示されているＤＶＢ−Ｈサービスを直ちに中断し、ユーザの確認を待つことなく、一致が検出されたサービスに自動的に切り換えることもできる。
【００５２】
このように、バックグラウンド受信は、現在選択されているＤＶＢ−Ｈサービスに関係なく、ユーザに更新情報を提供するために用いることもできる。例えば、スポーツの試合の最新のスコア、特別なトピックに関する最新のニュース、又は株式市場での新価格を、直ちにユーザに通知することができる。
【００５３】
さらに、他のサービスにおける所望の内容の放送は、前もって検出されてユーザに通知することもできる。このために、現在表示されているＤＶＢ−Ｈサービスに、「次のイベント：世界のニュースが２分後にチャネル３で開始」のようなテキストを重ねることもできる。
【００５４】
要約すると、本発明は、バッテリ式のＤＶＢ−Ｈ用携帯受信機に関する。ＤＶＢ−Ｈサービスデータは、伝送チャネル上でバーストとして伝送される。バーストは、間に数秒のオフタイムを有する間隔で伝送される。これらのオフタイムは、バックグラウンド受信に用いられる。バックグラウンド受信中に、他のサービスからの情報が取得されて受信機のメモリに記憶される。ユーザが他のサービスに切り換えると、このサービスに関して格納された情報は、新しいサービスの最初のバーストが受信されるまでの時間を埋めるために直ちに表示される。取得された情報は、テキスト又は静止画を含んでもよい。このバックグラウンド受信方式では、他のサービスをスキャンし、好ましくは取得された情報を更新するために受信機内で単一のチューナ／復調器を用いるだけでよい。バックグラウンド受信中に切り換えられる個々のサービス、及び生じ得る取得情報の更新は、現在のバッテリ状態、受信機の装備、及び／又はユーザの好みに基づいて実行される。
【００５５】
上述の通り、本発明は好ましい実施形態により詳細に説明されているが、本発明はこれらに限定されるものではなく、以下の特許請求の範囲に記載された本発明の技術的範囲内において多くの好ましい変形例及び修正例が可能であることは当業者にとって自明なことであろう。
【００５６】
なお、本発明は様々な実施の形態に示されている以下の構成をとることができる。第１の構成によれば、バーストの形態で第１のデータを伝送する伝送チャネルから前記第１のデータを受信する方法であって、前記バースト（２２０〜２４０）は、前記伝送チャネル（１１０）上を間隔（２６０）をあけて伝送され、第２のデータが、前記バースト（２２０〜２４０）の間隔の間に前記同じ伝送チャネル（１１０）上を伝送され、且つ／又は他の伝送チャネル上をバーストの形態で伝送され、
前記伝送チャネル（１１０）上を伝送されるバースト（２２０〜２４０）から前記第１のデータを抽出するステップと、
前記第１のデータのバーストが伝送されない間隔の間に、前記第１のデータの受信から、前記同じチャネル又は前記他の伝送チャネル上をバーストとして伝送される第２のデータの受信に切り換えるステップと、
前記第２のデータから情報を抽出するステップ（Ｓ７０）と、
前記抽出された情報を格納するステップ（Ｓ８０）と
を含むことを特徴とする方法である。
【００５７】
第２の構成によれば、バースト（２２０〜２４０）の形態で第１のデータを伝送する伝送チャネル（１１０）から前記第１のデータを受信する受信機であって、前記バースト（２２０〜２４０）は、前記伝送チャネル（１１０）上を間隔（２６０）をあけて伝送され、第２のデータが、前記バースト（２２０〜２４０）の間隔の間に前記同じ伝送チャネル（１１０）上を伝送され、且つ／又は他の伝送チャネル上をバーストの形態で伝送され、
前記伝送チャネル（１１０）上を伝送されるバースト（２２０〜２４０）から前記第１のデータを抽出する（Ｓ４０）第１抽出手段と、
前記受信を、前記第１のデータから、前記第１のデータのバーストが伝送されない間に、前記同じチャネル又は前記他の伝送チャネル（１１０）上をバーストとして伝送される第２のデータに切り換える切り換え手段と、
前記第２のデータから情報を抽出する（Ｓ７０）第２抽出手段と、
前記抽出された情報を格納する（Ｓ８０）記憶手段と
を含むことを特徴とする受信機である。
【図面の簡単な説明】
【００５８】
【図１】多周波数ネットワークの典型的なセル構造を模式的に示す模式図である。
【図２】タイムスロットのバーストとして伝送されるＤＶＢ−Ｈデータを模式的に示す図である。
【図３】携帯端末の移動時に、オフタイムに次のセルでの同一のサービスを探索する場合のタイムチャートである。
【図４】本発明のＤＶＢ−Ｈ用受信機の構成を示すブロック図である。
【図５】ＤＶＢ−Ｈ用受信機で複数のチャネルからのＤＶＢ−Ｈサービスを受けられる場合の概略図である。
【図６】複数の伝送チャネル内で伝送されるＤＶＢ−Ｈサービスデータの例を示す図である。
【図７】本発明のＤＶＢ−Ｈ用受信機における受信手順を示すフローチャートである。
【手続補正３】
【補正対象書類名】図面
【補正対象項目名】全図
【補正方法】変更
【補正の内容】
【図１】
2005060113.tif 000009
【図２】
2005060113.tif 000010
【図３】
2005060113.tif 000011
【図４】
2005060113.tif 000012
【図５】
2005060113.tif 000013
【図６】
2005060113.tif 000014
【図７】
2005060113.tif 000015
【国際調査報告】
2005060113.tif 000016
2005060113.tif 000017
2005060113.tif 000018